(57)【要約】【課題】本発明の目的は、同軸ケーブル・コネクタを向上させ、接点の損傷を回避することである。【解決手段】これらの目的は、導電部材および前記導電部材を囲む管状の絶縁部材であって、前記導電部材がオス受入端部、電線受入端部、および前記オス受入端部および前記電線受入端部を接続する中間部分を含む前記導電部材および前記管状の絶縁部材；少なくとも前記オス受入端部および前記中間部分の長さだけ縦方向に伸びる拡張スロットであって、前記オス受入端部が実質的に管状であって外方向に広げられた終端を有する前記拡張スロット；前記中間部分の先導領域に形成される第１のカム面；前記絶縁部材の片持ち梁の後縁領域に形成される第２のカム面；ならびに前記中間部分に形成される第２の保持部分と協働するための前記片持ち梁に形成される第１の保持部分を含むことを特徴とする、インライン・メス接点のためのサブアセンブリの提供により達成される。【選択図】図１
2005327728.tif 000002
【特許請求の範囲】
【請求項１】
導電部材および前記導電部材を囲む管状の絶縁部材であって、前記導電部材がオス受入端部、電線受入端部、および前記オス受入端部および前記電線受入端部を接続する中間部分を含む、前記導電部材および前記管状の絶縁部材；
少なくとも前記オス受入端部および前記中間部分の長さだけ縦方向に伸びる拡張スロットであって、前記オス受入端部が実質的に管状であって外方向に広げられた終端を有する前記拡張スロット；
前記中間部分の先導領域に形成される第１のカム面；
前記絶縁部材の片持ち梁の後縁領域に形成される第２のカム面；ならびに
前記中間部分に形成される第２の保持部分と協働するための前記片持ち梁に形成される第１の保持部分を含むことを特徴とする、インライン・メス接点のためのサブアセンブリ。
【請求項２】
前記絶縁部材が、互いに向かい合って配置される２つの片持ち梁を含むことを特徴とする、請求項１に記載のサブアセンブリ。
【請求項３】
前記オス受入端部が、両端の間の実質的中心に形成される横方向の溝を有することを特徴とする、請求項１に記載のサブアセンブリ。
【発明の詳細な説明】
【技術分野】
【０００１】
本出願は、２００４年５月１４日に出願された仮出願第６０／５７１，２１１号の優先権を主張する。
本発明は電気コネクタに関し、更に詳細には、同軸ケーブルのための端子コネクタに関する。
【背景技術】
【０００２】
２００４年２月２０日に出願され、本発明の被譲渡人に譲渡された米国特許出願第１０／７８３４４３号に示される従来のコネクタは、同軸ケーブルの露出した中心導体の第１の部分に固定された第１の端部を有する第１の電気接点を利用し、接合電気接点とかみ合うように形成される中空の第２の端部を有する。第２の端部は、オス接点を弾力的に把持する複数の片持ち梁を備える。
【０００３】
第１の電気接点は、縦方向開口部を備える絶縁部材に挿入される。挿入プロセスはオス電気接点の片持ち梁を損傷することが多く、この損傷はコネクタと接合する試みが行われるまで隠れたままであることが多い。
【発明の開示】
【発明が解決しようとする課題】
【０００４】
従って、本発明の目的は、従来技術の短所を除去することである。
【０００５】
本発明の他の目的は、同軸ケーブル・コネクタを向上させることである。
【０００６】
本発明の他の目的は、接点の損傷を回避することである。
【課題を解決するための手段】
【０００７】
これらの目的は、本発明の１側面において、導電部材および前記導電部材を囲む管状の絶縁部材であって、前記導電部材がオス受入端部、電線受入端部、および前記オス受入端部および前記電線受入端部を接続する中間部分を含む前記導電部材および前記管状の絶縁部材；少なくとも前記オス受入端部および前記中間部分の長さだけ縦方向に伸びる拡張スロットであって、前記オス受入端部が実質的に管状であって外方向に広げられた終端を有する前記拡張スロット；前記中間部分の先導領域に形成される第１のカム面；前記絶縁部材の片持ち梁の後縁領域に形成される第２のカム面；ならびに前記中間部分に形成される第２の保持部分と協働するための前記片持ち梁に形成される第１の保持部分を含むことを特徴とする、インライン・メス接点のためのサブアセンブリの提供により達成される。
【０００８】
片持ち梁を外方向に広げられた終端を有する管状端部と交換することは、終端ひずみの機会を除去し、設置プロセスを向上させる。更に、前記中間部分に形成される相互に作用するカム面、および前記絶縁部材の可撓性片持ち梁の提供も、挿入の向上および良好な保持に寄与する。
【発明を実施するための最良の形態】
【０００９】
図を参照すると、導電部材１２、および前記導電部材１２を囲む管状絶縁部材１４から成るインライン・メス接点のためのサブアセンブリ１０が図２に存在する。導電部材１２は、オス受入端部１６、電線受入端部１８、ならびに前記オス受入端部および前記電線受入端部を接続する中間部分２０を含む（図１を参照）。図示される実施例では、電線受入端部１８はトラフとして図示されるが、もちろん他の形態も使用できる。拡張スロット２２は、縦方向に少なくともオス受入端部１６および中間部分２０の長さだけ伸びる。オス受入端部１６は、実質的に管状であって外方向に広げられた終端２４を有する。挿入プロセスで役立つために、管状オス受入端部１６は、中間部分２０から広げられた終端２４へ僅かに先細になる。
【００１０】
第１のカム面２６が中間部分２０の先導領域２７に形成され、協動する第２のカム面２８は絶縁部材１４に形成される片持ち梁３０の後縁領域２９に形成される。
【００１１】
第１の保持部分３２は、中間部分２０に形成される第２の保持部分３４と協働するための片持ち梁３０に形成される。
【００１２】
本発明の好ましい実施例では、絶縁部材１４は、互いに向かい合って配置される２つの片持ち梁３０を含む。
【００１３】
更に、オス受入端部１６は、両端の間の実質的中心に形成される横方向の溝３６を有する。もし必要なら、溝３６は垂直抗力を調節するために使用できる。
【００１４】
インライン・コネクタ１０を形成するために、導電部材１２は絶縁部材１４に矢印４０の方向へ挿入される。挿入が第１のカム面２６を第２のカム面２８へ向かわせ続けるので、片持ち梁３０を矢印４２の方向の外方向にへ押し込む。挿入は第１のカム面２６が停止壁４４とかみ合うまで続き、その点で片持ち梁３０が最初の位置に大きさを変え、第１の保持部分３２を第２の保持部分３４と接触させ、それにより導電部材１２を固定する。
【００１５】
当業者には既知のように、管状絶縁部材１４への導電部材１２の挿入はサブアセンブリ１０を完成させ、同様に、サブアセンブリ１０は導電性の金属シェルへ挿入される。
【００１６】
従って、挿入の間に損傷する機会が少ない導電部材を有し、挿入が完了するときに堅固かつ自動的に固定されるインライン・メス・コネクタのためのサブアセンブリが提供される。
【００１７】
以上、本発明の好ましい実施例について図示し記載したが、特許請求の範囲によって定められる本発明の範囲から逸脱することなしに種々の変形および変更がなし得ることは、当業者には明らかであろう。
【図面の簡単な説明】
【００１８】
【図１】本発明による導電部材の断面図である。
【図２】接合導電部材および絶縁部材の断面図である。
【符号の説明】
【００１９】
１０      コネクタ
１２      導電部材
１４      絶縁部材
１６      オス受入端部
１８      電線受入端部
２４      終端
２７      先導領域
２９      後縁領域
３４      保持部分
３６      溝
【図１】
2005327728.tif 000003
【図２】
2005327728.tif 000004